(57)【要約】【課題】切れ味の良い通常モードと肌へのダメージが小さいヒリツキ軽減モードとを備えるロータリー式電気かみそりを提供する。【解決手段】本発明に係るロータリー式電気かみそり１は、複数の髭進入口２２ｃが形成された外刃２２と、外刃２２の下面２２ｂに摺接しつつ回転する内刃４２と、を有する刃ユニット６を備え、内刃４２は、複数の小刃４２Ａを有して、正回転方向および逆回転方向に回転可能に設けられており、小刃４２Ａは、正回転方向における先端側に、髭進入口２２ｃに進入した髭Ｘを切断可能な第１の刃先４２ａが形成され、且つ、逆回転方向における先端側に、髭進入口２２ｃに進入した髭Ｘを切断可能な第２の刃先４２ｂが形成されており、内刃４２の回転方向を切り替えることにより、第１の刃先４２ａで髭Ｘを切断する第１のモードと第２の刃先４２ｂで髭Ｘを切断する第２のモードとを切り替える、切り替え手段をさらに備える。【選択図】図３
2015223315.tif 000002
【特許請求の範囲】
【請求項１】
複数の髭進入口が形成された外刃と、該外刃の下面に摺接しつつ回転する内刃と、を有する刃ユニットを備えるロータリー式電気かみそりであって、
前記内刃は、複数の小刃を有して、正回転方向および逆回転方向に回転可能に設けられており、
前記小刃は、前記正回転方向における先端側に、前記髭進入口に進入した髭を切断可能な第１の刃先が形成され、且つ、前記逆回転方向における先端側に、前記髭進入口に進入した髭を切断可能な第２の刃先が形成されており、
前記内刃の回転方向を切り替えることによって前記第１の刃先で前記髭を切断する第１のモードと前記第２の刃先で前記髭を切断する第２のモードとを切り替える、切り替え手段をさらに備えること
を特徴とするロータリー式電気かみそり。
【請求項２】
前記内刃を回転駆動するモータの制御を行う制御部をさらに備え、
前記切り替え手段は、本体部に設けられるスイッチボタンと、前記制御部とを有して構成され、
前記スイッチボタンの切り替え操作による信号が前記制御部に設けられる切り替え回路に送られて、該切り替え回路が前記モータの極性を切り替えることによって、該内刃の回転方向を切り替えること
を特徴とする請求項１記載のロータリー式電気かみそり。
【請求項３】
前記小刃は、金属板の一部を、該金属板の板面に対する前記正回転方向前方側の角度αが鋭角となるように起立させて形成されていること
を特徴とする請求項１または請求項２記載のロータリー式電気かみそり。
【請求項４】
前記小刃は、前記第１の刃先のすくい角の角度β１が相対的に小さい角度に形成され、前記第２の刃先のすくい角の角度β２が相対的に大きい角度に形成されていること
を特徴とする請求項１〜３のいずれか一項に記載のロータリー式電気かみそり。
【請求項５】
前記小刃は、前記第１の刃先のすくい角の角度β１が４０°≦β１≦６０°に形成され、前記第２の刃先のすくい角の角度β２が７５°≦β２≦８５°に形成されていること
を特徴とする請求項４記載のロータリー式電気かみそり。
【請求項６】
前記制御部は、前記スイッチボタンが所定位置に操作されたときに、該制御部に設けられる信号出力部が前記内刃の回転方向が前記正回転方向となる信号と前記逆回転方向となる信号とを所定の時間間隔で交互に前記切り替え回路に出力すること
を特徴とする請求項２〜５のいずれか一項に記載のロータリー式電気かみそり。
【発明の詳細な説明】
【技術分野】
【０００１】
本発明は、ロータリー式電気かみそりに関する。
【背景技術】
【０００２】
例えば特許文献１に記載された、複数の髭進入口が形成された外刃と、外刃の下面に摺接しつつ回転する内刃とを備えて、髭進入口に進入した髭を切断するロータリー式電気かみそりが知られている。
【先行技術文献】
【特許文献】
【０００３】
【特許文献１】特開２００７−１３５９９１号公報
【発明の概要】
【発明が解決しようとする課題】
【０００４】
ここで、特許文献１に例示されるロータリー式電気かみそりは、髭の切れ味を良くすることができる反面、内刃によって肌を傷付け、ヒリツキが発生する事例があった。
【０００５】
本発明は、上記事情に鑑みてなされ、簡素な構成からなり正回転方向および逆回転方向に回転可能な内刃を備え、内刃の回転方向によって規定される使用モードを使用者が任意に選択可能であって、切れ味の良い通常モードと肌へのダメージが小さいヒリツキ軽減モードとを備えるロータリー式電気かみそりを提供することを目的とする。
【課題を解決するための手段】
【０００６】
一実施形態として、以下に開示するような解決手段により、前記課題を解決する。
【０００７】
開示のロータリー式電気かみそりは、複数の髭進入口が形成された外刃と、該外刃の下面に摺接しつつ回転する内刃と、を有する刃ユニットを備えるロータリー式電気かみそりであって、前記内刃は、複数の小刃を有して、正回転方向および逆回転方向に回転可能に設けられており、前記小刃は、前記正回転方向における先端側に、前記髭進入口に進入した髭を切断可能な第１の刃先が形成され、且つ、前記逆回転方向における先端側に、前記髭進入口に進入した髭を切断可能な第２の刃先が形成されており、前記内刃の回転方向を切り替えることにより、前記第１の刃先で前記髭を切断する第１のモードと前記第２の刃先で前記髭を切断する第２のモードとを切り替える、切り替え手段をさらに備えることを特徴とする。
【０００８】
これによれば、刃先に二種類の角度を有する内刃の回転方向を切り替えることにより、正回転時は切れ味を優先したモード、逆回転時はヒリツキ軽減を優先させたモードとなる機能を備えることができる。したがって、使用者が切り替え手段の操作で内刃の回転方向を切り替えることにより、好みに応じて切れ味を優先したモードとヒリツキ軽減を優先させたモードとを選択することが可能となる。このように、一台で自在にモード選択できることにより、切れ味優先およびヒリツキ軽減の両方に対応できるため、利便性が向上する。
【発明の効果】
【０００９】
本発明によれば、簡素な構成からなり正回転方向および逆回転方向に回転可能な内刃を備え、内刃の回転方向によって規定される使用モードを使用者が任意に選択可能であって、切れ味の良い通常モードと肌へのダメージが小さいヒリツキ軽減モードとを備えるロータリー式電気かみそりが実現できる。
【図面の簡単な説明】
【００１０】
【図１】本発明の実施形態に係るロータリー式電気かみそりの例を示す概略図（斜視図）である。
【図２】図1に示すロータリー式電気かみそりのヘッド部の例を示す概略図（分解斜視図）である。
【図３】図１に示すロータリー式電気かみそりの内刃の例を示す概略図（斜視図）である。
【図４】図３に示す内刃の小刃の例を示す概略図である。
【図５】図１に示すロータリー式電気かみそりの制御部を中心とするブロック図である。
【発明を実施するための形態】
【００１１】
以下、図面を参照して、本発明の実施形態について詳しく説明する。図１は、本実施形態に係るロータリー式電気かみそり１の例を示す概略図（斜視図）である。また、図２は、ロータリー式電気かみそり１のヘッド部３の例を示す概略図（分解斜視図）である。なお、実施形態を説明するための全図において、同一の機能を有する部材には同一の符号を付し、その繰り返しの説明は省略する場合がある。
【００１２】
本実施形態に係るロータリー式電気かみそり１は、図１、２に示すように、多数の髭進入口（後述のスリット）２２ｃが貫通形成された外刃２２と、当該外刃２２の下面に摺接しつつ回転する内刃４２とを有し、髭進入口２２ｃに進入した髭を外刃２２と内刃４２とでカットするロータリー式電気かみそりである。なお、外刃２２と内刃４２とを備えて構成される刃ユニット６を三組有するロータリー式電気かみそりを例に挙げて説明するが、これに限定されるものではない。
【００１３】
図１において、符号２は本体部であり、略円柱状のケース１０を備えている。このケース１０の前面には電源のオン・オフや使用モードの切り替えを行うスイッチボタン１６が設けられ、このスイッチボタンの下方には電池の充電残量等を示すＬＥＤランプからなる表示部１７が設けられている。
【００１４】
一方、ケース１０の内部には、内刃４２を回転駆動するモータ６０、モータに電力を供給する電池、モータ６０の回転駆動等の一連の制御を行う制御部５０が収容されている（図５にブロック図の例を示す）。なお、一例として、制御部５０には、モータ６０の極性切り替えを行う切り替え回路５２、および、切り替え回路５２に対して、モータ６０の極性切り替えを行う信号を出力する信号出力部（例えば、マイコン等のＩＣチップ）５４が設けられている。
【００１５】
図２に示すように、ヘッド部３は、本体部２のケース１０の上部に連結されて保持されるヘッドケース３２と、このヘッドケース３２に上方から被される刃枠３０と、ヘッドケース３２の内底部に収容された駆動機構（不図示）と、刃枠３０に僅かに上下動可能かつ揺動可能に保持された三組の刃ユニット６とを備えている。ここで、各刃ユニット６は、略円盤状の外刃２２と、この外刃２２の下面（内面）に摺接しながら回転する内刃４２とを備えている。また、三組の刃ユニット６は平面視で、三角形となるように配設されている。なお、本実施形態は、前述の通り、刃ユニット６を三組備える場合の例であるが、刃ユニットが三組以外の場合においても基本的な構成は同様に考えればよい。
【００１６】
ここで、外刃２２は、髭進入口となる多数の放射状のスリット２２ｃが軸方向（すなわち内刃の回転軸の軸方向と同方向）に貫通して形成され、このスリット２２ｃに入った髭を内刃４２がカットする構成である。すなわち、外刃２２は、上面２２ａが使用者の肌に接する髭剃り面となり、スリット２２ｃが上面（髭剃り面）２２ａに開口する構成となる。一例として、上面（髭剃り面）２２ａは環状の平面に形成されている。また、外刃２２は周縁が下方に折曲された形状を有しており、この周縁には外刃リング２４が嵌め合わされている。なおこの外刃リング２４の内周にはストッパリング２６が嵌め込まれて、外刃２２を外刃リング２４に固定している。
【００１７】
一方、内刃４２は、内刃保持台４４に固定され、この内刃保持台４４の下部にモータの出力軸と接続される内刃駆動軸（不図示）の上端が嵌合される凹部が形成されている。この内刃４２は外刃リング２４に嵌め込まれた内刃受け４６により外刃２２側に揺動可能に保持され、これらにより三組の独立した刃ユニット６が形成される。
【００１８】
以上の構成を備えて、刃ユニット６が組み立てられることによって、外刃２２（後述の下面２２ｂ）に、内刃４２（後述の小刃４２Ａ）が当接する状態となる。この状態で、内刃４２を回転駆動することによって、髭進入口（スリット）２２ｃに入った髭を内刃４２（小刃４２Ａ）の刃先でカットすることができる（詳細は後述）。
【００１９】
ここで、本実施形態に特徴的な構成として、内刃４２は、正回転方向および逆回転方向に回転可能に設けられている。さらに、切り替え手段によって、内刃４２の回転方向を切り替えることにより、正回転方向の先端側の刃先（後述の第１の刃先）で髭を切断する第１のモードと、逆回転方向の先端側の刃先（後述の第２の刃先）で髭を切断する第２のモードとを切り替え可能な構成としている。
【００２０】
本実施形態に係る切り替え手段は、スイッチボタン１６と、制御部５０とを備えて構成されている。例えば、スイッチボタン１６の切り替え操作（操作位置）に応じた信号が直接もしくは信号出力部５４を介して切り替え回路５２に送られて、当該切り替え回路５２がモータ６０の極性を切り替えることによって、内刃４２の回転方向を切り替える構成としている。
【００２１】
より詳しくは、スイッチボタン１６と制御部５０との電気的接点が設けられており、当該スイッチボタン１６の切り替え操作によって直接もしくは信号出力部５４を介して切り替え回路５２へ信号が出力され、当該信号に応じて電池からモータへの電力供給（通電・非通電）、およびモータの極性切り替えが行なわれるように構成されている。当該モータは、極性の切り替えによって出力軸となるモータの回転軸（不図示）の回転方向が正回転方向（一方向）およびこれとは反対の逆回転方向（他方向）に切り替わる。なお、一例として、正回転および逆回転におけるモータの回転軸の回転数は同じ回転数に設定している。ただし、異なる回転数に設定してもよい。
【００２２】
スイッチボタン１６は、電源のオン・オフおよび使用モードを切り替えるために、一例として、三つの位置間で往復動可能な操作スイッチが設けられる。例えば、スイッチボタンが第１の位置で電源がオンとなり第１のモード（後述の「通常モード」）で駆動し、第２の位置で電源がオフとなり駆動が停止し、第３の位置で電源がオンとなり第２のモード（後述の「ヒリツキ軽減モード」）で駆動する等のように設定することができる。このように、本実施形態においては、スイッチボタン１６を第２の位置から第１の位置（もしくは第３の位置）へ切り替えることによって、モータが停止状態から駆動状態へと切り替わる。また、スイッチボタン１６を第１の位置と第３の位置とで切り替えることによって、モータの極性切り替えが行なわれる。
【００２３】
また、スイッチボタンの変形例として、押しボタン式の操作スイッチを設ける構成としてもよい（不図示）。例えば、スイッチボタンが一回押されると電源がオンとなり第１のモード（後述の「通常モード」）で駆動し、スイッチボタンがさらにもう一回（計二回）押されるとモードの切り替えが行われて、第２のモード（後述の「ヒリツキ軽減モード」）で駆動し、スイッチボタンがさらにもう一回（計三回）押されると電源がオフとなり駆動が停止して初期状態に戻る等のように設定することもできる。
【００２４】
次に、内刃４２の構成について、図３、４を用いて詳しく説明する。図３は、内刃の例を示す斜視図である。また、図４（ａ）は、内刃４２の小刃４２Ａの拡大図であり、図４（ｂ）は図４（ａ）におけるＡ部の拡大図である。なお、各図中、内刃４２の回転方向について、正回転の回転方向を矢印Ｆの方向とし、逆回転の回転方向を矢印Ｒの方向として示す。
【００２５】
図３に示すように、本実施形態に係る内刃４２は、金属板の一部を板面４２Ｂに対して起立させた複数の小刃４２Ａを備えて構成される（図の簡素化のため、一部の小刃のみに符号を記入している）。一例として、小刃４２Ａは、金属板の板面４２Ｂに対する回転方向前方側の角（起立角）の角度αが鋭角（本実施形態においては、４５°≦α＜９０°）となるように起立させて形成されている。
【００２６】
本実施形態においては、内刃４２はステンレス鋼からなる金属板を用いて、プレス加工による型抜きおよび折曲を行って、一体構造として形成される。このように、内刃４２を、簡素な構造で、且つ、より少ない工程で形成することが可能となるため、部品コストおよび組み立てコストの低減を図ることが可能となる。ただし、一体構造に限定されるものではない。
【００２７】
本実施形態に係る小刃４２Ａは、一例として、一辺が１［ｍｍ］程度で他辺が０．５［ｍｍ］程度の矩形断面を有する略角柱状であって、長さＬ１が３［ｍｍ］程度に形成されている。ただし、この寸法形状に限定されるものではない。なお、長さＬ１をより短くする方が、小刃４２Ａの剛性を向上させることができ、作動中に撓みや振動が発生することを防止できるため、切れ味が良くなる。
【００２８】
また、小刃４２Ａは、正回転方向における先端側に、髭進入口（スリット）２２ｃに進入した髭を切断可能な第１の刃先４２ａが形成され、且つ、逆回転方向における先端側に、髭進入口（スリット）２２ｃに進入した髭を切断可能な第２の刃先４２ｂが形成されている。
【００２９】
より詳しくは、小刃４２Ａにおいて、正回転方向における先端側の面（以下「第１端面」という）４２ｄと、上端面４２ｃとによって規定される上端縁が、正回転方向において髭を切断する第１の刃先４２ａとなる。一方、逆回転方向における先端側の面（以下「第２端面」という）４２ｅと、上端面４２ｃとによって規定される上端縁が、逆回転方向において髭を切断する第２の刃先４２ｂとなる。なお、本実施形態においては、第２端面４２ｅにおいて、上端面４２ｃから下端に向けて抉られた形状の凹部４２ｆを設けて、当該凹部４２ｆと上端面４２ｃとによって第２の刃先４２ｂが規定される。
【００３０】
ここで、凹部４２ｆの形状は特に限定されるものではなく、例えば、図４に示す例のように全体を曲面状に形成してもよく、あるいは、複数の平面とそれらを結ぶ曲面とによって構成される形状（不図示）としてもよい。なお、凹部４２ｆを形成する方法についても特に限定されないが、プレス加工、切削（研削）加工、放電加工、ＥＣＭ（電解加工）等、様々な加工方法によって形成することができる。
【００３１】
また、本実施形態においては、小刃４２Ａは、第１の刃先４２ａと第２の刃先４２ｂとを結ぶ上端面４２ｃが外刃２２の下面２２ｂと摺接する構成としている。ただし、これに限定されるものではない。なお、凹部４２ｆを周方向に大きく（深く）形成すれば、上端面４２ｃの面積を小さくできるため、摺動抵抗を低減することが可能となる。
【００３２】
ここで、小刃４２Ａの第１の刃先４２ａの角度（すくい角）を角度β１とし、第２の刃先４２ｂの角度（すくい角）を角度β２とする。本実施形態においては、角度β１を角度β２よりも相対的に小さい角度に形成し、角度β２を角度β１よりも相対的に大きい角度に形成して、二種類の角度（すくい角）を有する小刃４２Ａを実現している。一例として、角度β１が４０°≦β１≦６０°に形成され、角度β２が７５°≦β２≦８５°に形成されている。なお、本実施形態においては、凹部４２ｆを設ける構成によって、小刃４２Ａの起立角の角度αを鋭角に形成する場合であっても、第２の刃先４２ｂのすくい角の角度β２を鋭角に形成することが可能となるため、第２の刃先４２ｂにおいても髭の切断が可能となる。加えて、凹部４２ｆの形状を適宜設定することによって、第２の刃先４２ｂのすくい角β２を任意の角度に設定することが可能なる。
【００３３】
この構成により、内刃４２を正回転（Ｆ方向へ回転）させれば、小刃４２Ａの第１の刃先４２ａによって、外刃２２の髭進入口（スリット）２２ｃに進入した髭Ｘを切断することができる。すなわち、相対的に鋭利なすくい角を有する刃先（ここでは第１の刃先４２ａ）で髭Ｘを切断することができる。したがって、切れ味が向上する効果が得られる。ただし、鋭利なすくい角を有するために、使用者の肌へのダメージが相対的に大きくなり、ヒリツキが生じる可能性も高くなる。このように内刃４２を正回転させて小刃４２Ａの第１の刃先４２ａによって髭Ｘを切断するモードを「通常モード（第１のモード）」と称する。
【００３４】
一方、内刃４２を逆回転（Ｒ方向へ回転）させれば、小刃４２Ａの第２の刃先４２ｂによって、外刃２２の髭進入口（スリット）２２ｃに進入した髭Ｘを切断することができる。すなわち、相対的に鋭利ではないすくい角を有する刃先（ここでは第２の刃先４２ｂ）で髭Ｘを切断することができる。したがって、使用者の肌へのダメージが相対的に小さくなり、ヒリツキが生じる可能性が低くなる。ただし、鋭利ではないすくい角を有するために、切れ味が相対的に悪くなる。このように内刃４２を逆回転させて小刃４２Ａの第２の刃先４２ｂによって髭Ｘを切断するモードを「ヒリツキ軽減モード（第２のモード）」と称する。
【００３５】
なお、内刃４２を逆回転させて髭屑の清掃を行う「髭屑清掃モード（第３のモード）」を別途設けてもよい。
【００３６】
さらには、第４のモードとして、スイッチボタン１６が所定位置に操作された場合（所定回数押された操作を含む概念である）に、制御部５０は、信号出力部５４から内刃４２の回転方向が正回転方向となる信号と逆回転方向となる信号とを所定の時間間隔で交互に切り替え回路５２に出力するように制御を行ってもよい。これによれば、「通常モード」と「ヒリツキ軽減モード」とが所定の時間間隔で自動的に切り替えられて繰り返される使用モード（「自動切り替えモード」）が可能となる。したがって、「ヒリツキ軽減モード」によって寝た状態の髭を起こして、「通常モード」によって深く切断する、といったような使用方法を実現することも可能となる。
【００３７】
前述の作用効果以外にも、「通常モード」で使用する場合には、回転方向の後端側となる第２の刃先４２ｂが外刃２２の下面２２ｂに対して引きずられるように摺接することによって、当該第２の刃先４２ｂ（先端部）が鋭利に研がれる作用が生じる。したがって、「通常モード」の後に、「ヒリツキ軽減モード」で使用すれば、第２の刃先４２ｂによる髭の切れ味がより一層向上する効果が得られる。
【００３８】
同様に、「ヒリツキ軽減モード」で使用する場合には、回転方向の後端側となる第１の刃先４２ａが外刃２２の下面２２ｂに対して引きずられるように摺接することによって、当該第１の刃先４２ａ（先端部）が鋭利に研がれる作用が生じる。したがって、「ヒリツキ軽減モード」の後に、「通常モード」で使用すれば、第１の刃先４２ａによる髭の切れ味がより一層向上する効果が得られる。
【００３９】
以上、説明した通り、本発明に係るロータリー式電気かみそりによれば、簡素な構造からなる内刃４２をより少ない工程で形成することが可能となる。また、当該内刃４２を正回転および逆回転させる構成が実現される。さらに、内刃４２を正回転させた場合および逆回転させた場合のいずれにおいても、外刃２２の髭進入口２２ｃに進入した髭を内刃４２（小刃４２Ａ）によって切断することが可能となる。すなわち、内刃４２を正回転させた場合には、小刃４２Ａの第１の刃先４２ａによって髭の切断が可能となり、内刃４２を逆回転させた場合には、小刃４２Ａの第２の刃先４２ｂによって髭の切断が可能となる。
【００４０】
ここで、小刃４２Ａの第１の刃先４２ａのすくい角の角度β１を相対的に小さい鋭角とすることによって、第１の刃先４２ａによる髭の切断モードを、相対的に切れ味の良い「通常モード」として設定することができる。一方、小刃４２Ａの第２の刃先４２ｂのすくい角の角度β２を相対的に大きい鋭角とすることによって、第２の刃先４２ｂによる髭の切断モードを、相対的に肌へのダメージが小さく、ヒリツキが発生しにくい「ヒリツキ軽減モード」として設定することができる。使用者は、スイッチボタン１６を切り替えることで、「通常モード」と「ヒリツキ軽減モード」とを任意に選択して、使い分けることが可能となる。したがって、一台で自在にモード選択できることにより、切れ味の良さを優先するモードとヒリツキの軽減を優先するモードとの両方に対応できるため、利便性が向上する。
【００４１】
また、「通常モード」で使用する場合には、回転方向の後端側となる第２の刃先４２ｂが鋭利に研がれる作用が生じるため、「通常モード」の後に、「ヒリツキ軽減モード」で使用することによって、第２の刃先４２ｂによる髭の切れ味を向上させることが可能となる。一方、「ヒリツキ軽減モード」で使用する場合には、回転方向の後端側となる第１の刃先４２ａが鋭利に研がれる作用が生じるため、「ヒリツキ軽減モード」の後に、「通常モード」で使用することによって、第１の刃先４２ａによる髭の切れ味を向上させることが可能となる。
【００４２】
このように、簡素な構成からなり正回転方向および逆回転方向に回転可能な内刃４２を備え、内刃４２の回転方向を切り替えることによって切り替え可能な通常モードとヒリツキ軽減モードとを備えるロータリー式電気かみそり１が実現できる。
【００４３】
なお、本発明は、以上説明した実施例に限定されることなく、本発明を逸脱しない範囲において種々変更が可能である。特に、外刃と内刃との組合せ（刃ユニット）を三組有するロータリー式電気かみそりを例に挙げて説明を行ったが、これに限定されるものではない。
【符号の説明】
【００４４】
１  ロータリー式電気かみそり
２  本体部
３  ヘッド部
６  刃ユニット
１０  ケース
１６  スイッチボタン
２２  外刃
２２ａ  外刃の上面（髭剃り面）
２２ｂ  外刃の下面
２２ｃ  スリット（髭進入口）
２４  外刃リング
２６  ストッパリング
３０  刃枠
３２  ヘッドケース
４２  内刃
４２Ａ  小刃
４２Ｂ  金属板の板面
４２ａ  第１の刃先
４２ｂ  第２の刃先
４２ｃ  小刃の上端面
４２ｄ  小刃の第１端面
４２ｅ  小刃の第２端面
４２ｆ  凹部
４４  内刃保持台
４６  内刃受け
５０  制御部
５２  切り替え回路
５４  信号出力部
６０  モータ
Ｘ  髭
【図１】
2015223315.tif 000003
【図２】
2015223315.tif 000004
【図３】
2015223315.tif 000005
【図４】
2015223315.tif 000006
【図５】
2015223315.tif 000007